(57)【要約】      （修正有）【課題】揺れや振動等によって、吊り下げた刷毛が不測に落下しないように刷毛をより確実にペンキ缶内に保持することができる刷毛保持具を提供する。【解決手段】ペンキ缶の上端開口の上方に配置される支持リング６と、支持リングから下方に突設された支持脚７とを備え、支持リングをペンキ缶の上方に水平状に保持するように支持脚がペンキ缶に着脱自在に装着可能とされ、支持リングの上側に、刷毛１２の柄の基部に形成された吊下孔２２に挿通して刷毛をそのブラシ毛側がペンキ缶内に入るように吊り下げる係止杆１９が具備されている。支持脚７は、支持リングから周方向に間隔をおいて下方突出された複数の支持脚杆１４と、支持脚杆の下部を連結してペンキ缶の底部外周に配置される連結リング１５と、を有しているのが好ましい。【選択図】図３
0003195645.tif 000002
【実用新案登録請求の範囲】
【請求項１】
ペンキ缶（３）の上端開口（４）の上方に配置される支持リング（６）と、支持リング（６）から下方に突設された支持脚（７）とを備え、支持リング（６）をペンキ缶（３）の上方に水平状に保持するように支持脚（７）がペンキ缶（３）に着脱自在に装着可能とされ、
支持リング（６）の上側に、刷毛（１２）の柄（２１）の基部に形成された吊下孔（２２）に挿通して刷毛（１２）をそのブラシ毛（２３）側がペンキ缶（３）内に入るように吊り下げる係止杆（１９）が具備されていることを特徴とする刷毛保持具。
【請求項２】
支持脚（７）は、支持リング（６）から周方向に間隔をおいて下方突出された複数の支持脚杆（１４）と、複数の支持脚杆（１４）の下部を連結してペンキ缶（３）の底部（１７）外周に配置される連結リング（１５）と、を有し、支持リング（６）をペンキ缶（３）の上方に保持するようにペンキ缶（３）の底部（１７）上に設置可能とされていることを特徴とする請求項１に記載の刷毛保持具。
【請求項３】
支持脚（７）は、支持リング（６）から周方向に間隔をおいて下方突出された複数の支持脚杆（１４）を有し、複数の支持脚杆（１４）の下部にペンキ缶（３）の上端開口（４）の開口縁部（５）に着脱自在に嵌合固定される嵌合部（３３）が設けられていることを特徴とする請求項１に記載の刷毛保持具。
【請求項４】
係止杆（１９）は棒状に形成されて、支持リング（６）の一部から支持リング（６）の内外方向の内側を通って支持リング（６）の他部に跨るように配置され、係止杆（１９）の一端部が支持リング（６）の一部に上下揺動自在に連結される連結部（２５）とされ、係止杆（１９）の他端部が支持リング（６）の他部上に当接される当接部（２６）とされ、係止杆（１９）の中途部が、刷毛（１２）を吊り下げる係止部（２７）とされていることを特徴とする請求項１〜３のいずれかに記載の刷毛保持具。
【請求項５】
連結部（２５）は係止杆（１９）の一端部を螺旋状又はフック状に折曲してなり、連結部（２５）を支持リング（６）の一部に着脱自在に外嵌又は係合することにより、支持リング（６）の一部に上下揺動自在に連結されていることを特徴とする請求項４に記載の刷毛保持具。
【請求項６】
係止杆（１９）は、支持脚杆（１４）の上端から支持リング（６）よりも上方に延長突出された起立部（２９）と、起立部（２９）上端から支持リング（６）の径方向内方に向けて突出された係止部（２７）とを備え、係止部（２７）に吊下孔（２２）を介して刷毛（１２）の基部を吊り下げることを特徴とする請求項１〜３のいずれかに記載の刷毛保持具。
【考案の詳細な説明】
【技術分野】
【０００１】
本考案は、刷毛をペンキ缶内に吊り下げて保持するようにした刷毛保持具に関するものである。
【背景技術】
【０００２】
塗装作業で用いた塗装用刷毛は、ブラシ毛が乾いて再使用不能となるのを防止するためにペンキ缶内の塗料に浸漬して、又はペンキ缶内の塗料洗浄用のシンナーに浸漬して、持ち運んだり保管したりする。しかし、塗料用刷毛を単にペンキ缶内に置いて塗料やシンナーに浸漬しておくと、塗料用刷毛のブラシ毛がペンキ缶の底部に当接して変形し、次の塗装作業に支障を生じる。このため、刷毛をそのブラシ毛がペンキ缶の底部から浮いた状態に保持する必要がある。
【０００３】
そこで、従来の刷毛保持具には、ペンキ缶の上端開口の開口縁部に、支持板を載置固定し、この支持板の側面部位に複数の張り出し部を突設し、塗装用刷毛の柄の２股状になった空洞部に張り出し部を挿入することによって、刷毛をペンキ缶内に吊り下げて保持するようにしたものがある（例えば特許文献１）。
【先行技術文献】
【特許文献】
【０００４】
【特許文献１】実用新案登録第３１７０３３７号公報
【考案の概要】
【考案が解決しようとする課題】
【０００５】
しかし、従来の場合、刷毛を吊り下げた状態でペンキ缶を持ち運ぶ際等に、揺れや振動等によって、空洞部が張り出し部から外れてしまい、刷毛がペンキ缶内に落下するおそれが大であった。
本考案は上記問題点に鑑み、揺れや振動等によって、吊り下げた刷毛が不測に落下しないように刷毛をより確実にペンキ缶内に保持することができる刷毛保持具を提供することを目的としている。
【課題を解決するための手段】
【０００６】
本考案における課題解決のための具体的手段は、次の通りである。
この技術的課題を解決する本考案の技術的手段は、ペンキ缶３の上端開口４の上方に配置される支持リング６と、支持リング６から下方に突設された支持脚７とを備え、支持リング６をペンキ缶３の上方に水平状に保持するように支持脚７がペンキ缶３に着脱自在に装着可能とされ、
支持リング６の上側に、刷毛１２の柄２１の基部に形成された吊下孔２２に挿通して刷毛１２をそのブラシ毛２３側がペンキ缶３内に入るように吊り下げる係止杆１９が具備されている点にある。
【０００７】
また、本考案の他の技術的手段は、支持脚７は、支持リング６から周方向に間隔をおいて下方突出された複数の支持脚杆１４と、複数の支持脚杆１４の下部を連結してペンキ缶３の底部１７外周に配置される連結リング１５と、を有し、支持リング６をペンキ缶３の上方に保持するようにペンキ缶３の底部１７上に設置可能とされている点にある。
また、本考案の他の技術的手段は、支持脚７は、支持リング６から周方向に間隔をおいて下方突出された複数の支持脚杆１４を有し、複数の支持脚杆１４の下部にペンキ缶３の上端開口４の開口縁部５に着脱自在に嵌合固定される嵌合部３３が設けられている点にある。
【０００８】
また、本考案の他の技術的手段は、係止杆１９は棒状に形成されて、支持リング６の一部から支持リング６の内外方向の内側を通って支持リング６の他部に跨るように配置され、係止杆１９の一端部が支持リング６の一部に上下揺動自在に連結される連結部２５とされ、係止杆１９の他端部が支持リング６の他部上に当接される当接部２６とされ、係止杆１９の中途部が、刷毛１２を吊り下げる係止部２７とされている点にある。
【０００９】
また、本考案の他の技術的手段は、連結部２５は係止杆１９の一端部を螺旋状又はフッ
ク状に折曲してなり、連結部２５を支持リング６の一部に着脱自在に外嵌又は係合することにより、支持リング６の一部に上下揺動自在に連結されている点にある。
また、本考案の他の技術的手段は、係止杆１９は、支持脚杆１４の上端から支持リング６よりも上方に延長突出された起立部２９と、起立部２９上端から支持リング６の径方向内方に向けて突出された係止部２７とを備え、係止部２７に吊下孔２２を介して刷毛１２の基部を吊り下げる点にある。
【考案の効果】
【００１０】
本考案によれば、ペンキ缶内に刷毛を保持する場合、支持リングの上側にある係止杆を刷毛の基部に形成されている吊下孔に挿入して、係止杆に刷毛を吊り下げればよく、支持リングがペンキ缶上方に配置されているため、刷毛を高い位置に吊り下げてそのブラシ毛側がペンキ缶の底部から浮いた状態になすことができ、ブラシ毛が痛まないように刷毛を保持することができる。
【００１１】
しかも、刷毛の基部にある既存の吊下孔をうまく利用して、刷毛を係止杆から外れないように吊り下げておくことができるし、支持リングによって刷毛の大きな揺れや振動を規制することもでき、ペンキ缶を持ち運ぶ際等に、揺れや振動等によって吊り下げた刷毛が落下するのを防止でき、刷毛をペンキ缶内により確実に保持することができる。また、吊下孔は刷毛の基部にある既存のものであるから、刷毛に吊下孔を形成するための加工等は不要であり、刷毛に加工を施すような面倒もない。
【図面の簡単な説明】
【００１２】
【図１】本考案の第１実施形態を示す刷毛保持具をペンキ缶に装着した状態の側面断面図である。
【図２】同刷毛保持具をペンキ缶に装着した状態の斜視図である。
【図３】同刷毛保持具の斜視図である。
【図４】同刷毛保持具をシンナーを収容したペンキ缶に装着した状態の側面断面図である。
【図５】第２実施形態を示す刷毛保持具をペンキ缶に装着した状態の側面断面図である。
【考案を実施するための形態】
【００１３】
以下、本考案の実施の形態を図面に基づいて説明する。
図１〜図４は本考案の第１実施形態を示している。図１〜図４において、刷毛保持具１は、ペンキ缶３の上端開口４の上方に配置される支持リング６と、支持リング６から下方に突設された支持脚７とを備える。
ここで、ペンキ缶３は金属又は合成樹脂等により上端開口４を有する有底の円筒状に形成されている。ペンキ缶３の上端開口４の開口縁部５の径方向両側に跨って半円形の取っ手８が横軸廻りに揺動自在に取り付けられている。ペンキ缶３にポリプロピレン等の合成樹脂製の内カバー９が着脱自在に内嵌保持される。内カバー９は取替え可能であって使い捨てのものであり、ペンキ缶３に対応した有底の円筒状に形成され、ペンキ缶３に内嵌した内カバー９内に塗料１０を収容して塗装作業をすることにより、ペンキ缶３の内面に塗料１０が付着せずに済み、ペンキ缶３を洗う手間が省けるようになっている。また、刷毛１２を洗浄する場合等には、ペンキ缶３に塗料１０の希釈液や洗浄液であるシンナー１３等が内カバー９を使用することなく直接収容される。
【００１４】
前記支持リング６は金属線材によりペンキ缶３の上端開口４と略同一径の円形の環状に形成されている。
支持脚７は、支持リング６から周方向に間隔をおいて下方突出された複数（図例では３本）の支持脚杆１４と、複数の支持脚杆１４の下部を連結してペンキ缶３の底部外周に配置される連結リング１５とを有している。
【００１５】
複数の支持脚杆１４はそれぞれ金属線材により上下方向の棒状に形成され、上端部が溶接等により支持リング６に固着されている。連結リング１５は金属線材により支持リング６よりもやや小径の円形の環状に形成され、連結リング１５に複数の支持脚杆１４の下部が溶接等により固着されている。
而して、支持脚７は、支持リング６をペンキ缶３の上方に水平状に保持するようにペンキ缶３の底部１７上に設置可能とされ、支持脚７を底部１７上に設置することにより、支持脚７がペンキ缶３に着脱自在に装着されて、支持リング６をペンキ缶３の上方に保持する。支持リング６の大きさ及び保持高さは、取っ手８の上下揺動を妨げない範囲に設定されている。
【００１６】
支持リング６の上側に塗装用の刷毛１２を吊り下げるための複数の係止杆１９が具備されている。各係止杆１９は、刷毛１２の柄２１の基部に形成された既存の吊下孔２２に挿通することにより、刷毛１２をそのブラシ毛２３側がペンキ缶３内に入るように吊り下げるようになっている。本実施形態の場合、刷毛１２を吊り下げる係止杆１９には、第１係止杆１９ａと第２係止杆１９ｂとの２種類がある。また、図例では、塗装用の刷毛１２には短い形状の刷毛１２ａと長い形状の刷毛１２ｂの２種類がある。
【００１７】
第１係止杆１９ａは棒状に形成されて、支持リング６の一部から支持リング６の内外方向の内側を通って支持リング６の他部に跨るように支持リング６上に配置され、係止杆１９の一端部が支持リング６の一部に上下揺動自在に連結される連結部２５とされ、係止杆１９の他端部が支持リング６の他部上に当接される当接部２６とされ、係止杆１９の中途部が、刷毛１２を吊り下げる係止部２７とされている。
【００１８】
連結部２５は係止杆１９の一端部を螺旋状又はフック状に折曲してなり、連結部２５を支持リング６の一部に着脱自在に外嵌又は係合することにより、支持リング６の一部に上下揺動自在に連結されている。
而して、第１係止杆１９ａは、当接部２６から刷毛１２の吊下孔２２に挿入して係止部２７に挿通することにより、刷毛１２（短い形状の刷毛１２ａ）の柄２１が支持リング６に上下に挿通されて、ブラシ毛２３側が下向きになった状態で刷毛１２はそのブラシ毛２３側がペンキ缶３内に入るように吊り下げられ、ブラシ毛２３がペンキ缶３の底部１７から浮いた状態になる。
【００１９】
第２係止杆１９ｂは、支持脚杆１４の上端から支持リング６よりも上方に延長突出された起立部２９と、起立部２９上端から支持リング６の径方向内方に向けて突出された係止部２７とを備え、係止部２７を長い形状の刷毛１２ｂの基部の吊下孔２２に挿通することにより、刷毛１２（長い形状の刷毛１２ｂ）の柄２１が支持リング６に上下に挿通されて、支持リング６よりも高い位置で長い形状の刷毛１２ｂはそのブラシ毛２３側がペンキ缶３内に入るように吊り下げられ、ブラシ毛２３がペンキ缶３の底部１７から浮いた状態になる。
【００２０】
前記第１実施形態によれば、塗装作業で用いた短い形状の塗装用の刷毛１２ａを塗料１０に浸漬しておく場合、図１に示すように、塗料１０を収容した内カバー９を内嵌したペンキ缶３内に、刷毛保持具１の支持脚７を内カバー９に外嵌させるように挿入してペンキ缶３の底部１７に載置する。このとき、内カバー９の支持脚杆１４に対応する部分が弾性変形等により内方に凹むことによって、支持脚７を内カバー９に対して簡単に外嵌させることができる。
【００２１】
その後、短い形状の刷毛１２ａについては、連結部２５を支点に第１係止杆１９ａを上方揺動させ、第１係止杆１９ａを当接部２６側から刷毛１２の吊下孔２２に挿通して、第１係止杆１９ａに刷毛１２の基部を吊り下げればよく、ブラシ毛２３側を下に向けた状態でペンキ缶３内に刷毛１２を吊り下げることができ、刷毛１２のブラシ毛２３がペンキ缶３の底部１７から浮いた状態になり、ブラシ毛２３側が内カバー９内の塗料１０に浸漬される。
【００２２】
また、長い形状の刷毛１２ｂについては、第２係止杆１９ｂの係止部２７に吊下孔２２を介して刷毛１２を吊り下げればよく、長い形状の刷毛１２ｂは支持リング６よりも高い位置で吊り下げられ、そのブラシ毛２３がペンキ缶３の底部１７から浮いた状態になり、ブラシ毛２３側が内カバー９内の塗料１０に浸漬される。
また、塗装作業で用いた塗装用の刷毛１２をシンナー１３に浸漬しておく場合には、図４に示すように、シンナー１３を収容したペンキ缶３内に刷毛保持具１の支持脚７を挿入してペンキ缶３の底部１７に載置し、その後、短い形状の刷毛１２ａについては、第１係
止杆１９ａの係止部２７に吊下孔２２を介して刷毛１２の基部を吊り下げ、長い形状の刷毛１２ｂについては、第２係止杆１９ｂの係止部２７に吊下孔２２を介して吊り下げればよく、刷毛１２のブラシ毛２３がペンキ缶３の底部１７から浮いた状態になり、ブラシ毛２３側がシンナー１３に浸漬される。
【００２３】
従って、支持リング６がペンキ缶３の上方に配置されるため、刷毛１２を高い位置に吊り下げてそのブラシ毛２３側がペンキ缶３の底部１７から浮いた状態になすことができ、ブラシ毛２３が痛まないように刷毛１２を保持することができる。しかも、刷毛１２の基部にある既存の吊下孔２２をうまく利用して、刷毛１２を係止杆１９から不測に外れないように確実に吊り下げておくことができるし、支持リング６によって刷毛１２の大きな揺れや振動を規制することもでき、ペンキ缶３を持ち運ぶ際等に、揺れや振動等によって吊り下げた刷毛１２がペンキ缶３内に落下するのを防止できる。また、吊下孔２２は刷毛１２の基部にある既存のものであるから、刷毛１２に吊下孔２２を形成するための加工等は不要であり、刷毛１２を既存の吊下孔２２を利用して安定に吊り下げることができる。
【００２４】
また、支持脚７をペンキ缶３の底部１７上に設置することによって、支持リング６をペンキ缶３の上方に簡単かつ確実に保持することができ、支持リング６や係止杆１９がペンキ缶３の上方から落下したりすることもなくなり、この点からも、吊り下げた刷毛１２がペンキ缶３内に落下するのを防止することができる。
また、１本の第１係止杆１９ａによって、複数の刷毛１２を吊り下げて確実に保持することができる。しかも、第１係止杆１９ａを支持リング６上に複数設けることも可能であり、多くの刷毛１２をペンキ缶３内に吊り下げることができる。
【００２５】
また、連結部２５は係止杆１９の一端部を螺旋状又はフック状に折曲してなるので、係止杆１９に連結部２５を簡単に形成でき、連結部２５によって係止杆１９を支持リング６の上側に簡単に着脱できるし、係止杆１９が支持リング６から不測に外れるおそれも少なくなる。
また、第２係止杆１９ｂによって、刷毛１２を支持リング６よりも高い位置に吊り下げることができ、相当長い形状の刷毛１２ｂでも、ブラシ毛２３がペンキ缶３の底部１７に接触しないように吊り下げて保持することができる。
【００２６】
図５は第２実施形態を示し、支持脚７は、支持リング６から周方向に間隔をおいて下方突出された複数の支持脚杆１４を有し、複数の支持脚杆１４の下部にペンキ缶３の上端開口４の開口縁部５に着脱自在に嵌合固定される２股状の嵌合部３３が設けられている。この場合、複数の支持脚杆１４の嵌合部３３を開口縁部５に嵌合することによって、支持脚７がペンキ缶３に着脱自在に装着され、支持リング６がペンキ缶３の上方に水平状に保持されるようになっている。
【００２７】
第２実施形態の場合、支持脚７をペンキ缶３に着脱自在に装着した後に、第１実施形態の場合と同様に、第１係止杆１９ａ又は第２係止杆１９ｂに刷毛１２の柄２１の基部を吊り下げれば、ブラシ毛２３側を下に向けた状態でペンキ缶３内に刷毛１２を吊り下げることができ、刷毛１２のブラシ毛２３がペンキ缶３の底部１７から浮いた状態になり、ブラシ毛２３側が内カバー９内の塗料１０又はペンキ缶３内のシンナー１３に浸漬された状態に簡単かつ確実に保持することができる。
【００２８】
なお、前記実施形態では、ペンキ缶３に内カバー９が内嵌保持され、塗装作業の際に内カバー９に塗料１０を収容するようにしているが、これに代え、内カバー９を省略し又は内カバー９を使用せずにペンキ缶３に直接塗料１０を収容して塗装作業をするようにしてもよい。この場合、ペンキ缶３に直接に塗料１０又はシンナー１３を収容し、このペンキ缶３に対して刷毛保持具１の支持脚７を装着すればよい。
【００２９】
また、前記実施形態では、ペンキ缶３は有底円筒状に形成されているが、ペンキ缶３の形状はこのような形状に限定されず、有底の角筒形状であってもよい。また、支持リング６及び連結リング１５の形状は、円形の環状であることに限定されず、例えば角形の環状であってもよい。
また、前記実施形態では、刷毛１２の基部に形成された吊下孔２２に係止杆１９を直接挿通して刷毛１２を吊り下げるようにしているが、これに代え、吊下孔２２に吊下紐や吊
下リングを挿通保持して、この吊下紐や吊下リングに係止杆１９を挿通して刷毛１２を吊り下げるようにしてもよい。
【００３０】
また、支持リング６、連結リング１５又は係止杆１９等は金属線材に限らず、合成樹脂その他で形成するようにしてもよい。
【符号の説明】
【００３１】
１      刷毛保持具
３      ペンキ缶
４      上端開口
６      支持リング
７      支持脚
１２    刷毛
１４    支持脚杆
１５    連結リング
１７    底部
１９    係止杆
２１    柄
２２    吊下孔
２３    ブラシ毛
２５    連結部
２６    当接部
２７    係止部
２９    起立部
３１    開口縁部
３３    嵌合部
【図１】
0003195645.tif 000003
【図２】
0003195645.tif 000004
【図３】
0003195645.tif 000005
【図４】
0003195645.tif 000006
【図５】
0003195645.tif 000007